(57)【特許請求の範囲】
【請求項１】
遊技機用制御基板を収納する基板ボックス本体と、該基板ボックス本体を覆う蓋体とを備え、遊技機の機枠に設けた取付ブラケットにより保持される遊技機用基板ボックスであって、
上記基板ボックス本体である被保持部が円板収納室を有し、
上記円板収納室に円板が、ラチェット機構によって所定の方向のみに回転可能で逆回転不能に設けられ、
上記遊技機の機枠である保持部が取付ブラケットを備え、該取付ブラケットには複数の係止部が所定の間隔で円弧状に配列され、
上記円板が、上記複数の係止部のいずれかに選択的に係合される半径方向外方に突設した凸部を備え、
上記被保持部が、上記取付ブラケットの複数の係止部のいずれかと上記円板の凸部とを係合させる固定位置を選択的に決める位置決め手段を備え、
上記円板を上記所定の方向に回転させ、上記円板の凸部が上記固定位置にあると、上記基板ボックス本体と上記取付ブラケットとが固定され、
上記円板を上記固定位置からさらに上記所定の方向に回転させ、上記円板の凸部が複数の係止部のうち一の係止部と該係止部の隣に配置した次の係止部との間の解除位置にあると、上記基板ボックス本体と上記取付ブラケットとの固定が解除可能となる遊技機用基板ボックス。
【請求項２】
遊技機用制御基板を収納する基板ボックス本体と、該基板ボックス本体を覆う蓋体とから構成される遊技機用基板ボックスであって、
上記蓋体である被保持部が円板収納室を有し、
上記円板収納室に円板が、ラチェット機構によって所定の方向のみに回転可能で逆回転不能に設けられ、
上記基板ボックス本体である保持部が取付ブラケットを備え、該取付ブラケットには複数の係止部が所定の間隔で円弧状に配列され、
上記円板が、上記複数の係止部のいずれかに選択的に係合される半径方向外方に突設した凸部を備え、
上記被保持部が、上記取付ブラケットの複数の係止部のいずれかと上記円板の凸部とを係合させる固定位置を選択的に決める位置決め手段を備え、
上記円板を上記所定の方向に回転させ、上記円板の凸部が上記固定位置にあると、上記基板ボックス本体と上記蓋体とが固定され、
上記円板を上記固定位置からさらに上記所定の方向に回転させ、上記円板の凸部が複数の係止部のうち一の係止部と該係止部の隣に配置した次の係止部との間の解除位置にあると、上記基板ボックス本体と上記蓋体との固定が解除可能となる遊技機用基板ボックス。
【請求項３】
上記位置決め手段が、上記円板の表面に、半径方向内方の断片的な円弧溝と半径方向外方の断片的な円弧溝と半径方向溝とを順次連接して、円弧状に延びた千鳥状のジグザグ溝と、円板の半径方向に移動可能に被保持部側に設けられた位置決めピンとを備え、当該位置決めピンの先端が上記ジグザグ溝に係合されて上記位置決めを行う請求項１又は請求項２の遊技用基板ボックス。
【発明の詳細な説明】
【０００１】
【産業上の利用分野】
この発明は、パチンコ遊技機、パチスロ遊技機などのいわゆるコンピュータ制御された遊技機の制御基板を収納し、封印する遊技機用基板ボックスの封印機構、または、遊技用基板ボックスを遊技機枠体に固定する固定機構の封印機構に関するものであり、基板ボックスの解放回数又は取外回数が必ず明示されるようにし、この明示された解放（又は取外、以下同じ）回数を管理することによって、無断解放の有無を確認できるようにするものであり、これによって基板ボックスの正規の解放操作、再封印操作を簡便にするとともに、無断解放の有無を一目瞭然にすることができるものである。
【０００２】
【従来の技術】
コンピュータ制御された遊技機の個々の特性は制御基板に格納された制御情報（制御プログラム、制御データ等）によって大きく左右されるので、制御基板へのアクセスを厳重に管理することが必要である。他方、遊技機の制御基板については定期的な点検等のため正規のアクセスがなされるから、これを解放不能にすることはできない。このため、基板ボックスについては、これを解放可能にしておいて、解放した度毎に封印することによって、無断で解放された場合はこれを速やかに確認できるようにしている。この封印には、最も単純な方法として、いわゆる封印シールを貼って封印する方法、不可逆的なロック機構を多数用意し、その一部を使用して基板ボックスをロックし、解放する度に使用したロック機構が一つづつ破壊されるようにして、解放されたことの痕跡をその破壊によって残す方法などが採用されている。
いわゆるシールを貼って封印するものにおいては、偽造されたシールが使用されるなど、不正解放の確認が容易でない場合があり、安全対策としては万全を期し難い面があり、また、不可逆的なロック機構によるときは、正規に解放する場合、その解放操作、再封印操作が比較的面倒であり、特別な工具を使用することが必要であるなどの不便がある。他方、遊技機の基板ボックスについては、点検などのための正規の解放が少なくとも数回行われることを前提として設計がなされるので、不可逆的ロックの数が最低でも数個必要になる。このために不可逆的ロック機構を基板ボックスに付設することになるため、基板ボックスの製造コストがかさむという問題もないではない。
【０００３】
シールによる封印、不可逆的ロック機構によるものの他に、基板ボックスに錠を設け、この錠で基板ボックスをロックして、無断解放を第１次的に防止するようにし、さらに、この錠に解錠回数表示機構を設けて解錠する度にその表示が変わるようにし、この解錠回数を管理することによって無断解錠を速やかに発見できるようにするという技術思想が特開平１０−１９２５１８号公報に記載されている。このものの概要は図１に示すとおりであり、基板ボックス１の蓋体１ｂに錠３をを設けて基板ボックス本体１ａと蓋体１ｂとをこの錠３でロックするようにし、錠３のシリンダー６の前面に表示手段５を付設し、この表示手段５の回転板１２を、爪車１３とラチェット爪とによるラチェット機構によって、錠３が解錠操作される度に一方向に９０度だけ間欠的に回転されるようにし、さらに、回転板１２が１回転した後は、その回転を揺動板１４などによって阻止して、それ以上の解錠操作を不能にするものである。
回転板１２の前面に９０度間隔で、残りの解錠可能な回数を表示する丸数字が表示されており、これを蓋体１ｂに設けた窓穴から確認することができるようになっており、解錠操作がなされると、回転板１２が右方向に９０度回転されて上記窓穴から見える上記丸数字が入れ代わるので、上記窓から確認される丸数字の表示が変わることになる。そして、上記丸数字による表示が１のとき、さらにもう一度解錠して再び施錠すると、揺動板１４によって上記窓穴が塞がれ、これによって再度の解錠は可能であることを示すとともに、それ以上の解錠操作が機械的に阻止されるようになる。
上記従来技術は、基板ボックス本体１ａと蓋体１ｂとのロック機構をシリンダー錠３による可逆的ロック機構とし、また、錠の解錠回数を表示する表示手段を設け、この表示による解錠回数を管理することによって、不正解錠の有無を速やかに確認できるようにしたものであるから、錠に表示手段を付設し、解錠操作によってこれを間欠的に駆動する間欠送り機構が必要であり、機構構造が極めて複雑になる。
なお、このものは基板ボックス本体と蓋体とのロック機構であるが、この回転板によって解錠回数を表示し、この表示を管理することによって、無断解放の有無を確認できるようにするという技術思想は、基板ボックスを機枠に取付けた取付け機構についても適用し得るものであることは、容易に推測できることである。
他方、遊技機の基板ボックスに求められる封印機能は、基板ボックスが不正に解放されたことはないことを保証できればよいのであって、基板ボックスの解放を阻止するという意味での防護機能までも求められるわけではないから、この観点からすれば、上記従来技術における錠による防護機能は必ずしも必要でない。
【０００４】
【解決しようとする課題】
この発明は、以上の認識に基づくものであり、基板ボックスの解放回数を表示するについて、基板ボックスの係止機構の一部によって基板ボックスの解放回数が表示されるように、その係止機構を工夫することをその課題とするものである。
【０００５】
【課題解決のために講じた手段】
(１) 本発明に係る遊技機用基板ボックスは（請求項１に対応）、遊技機用制御基板を収納する基板ボックス本体と、該基板ボックス本体を覆う蓋体とを備え、遊技機の機枠に設けた取付ブラケットにより保持される遊技機用基板ボックスであって、次の(イ)〜(ト)によって構成されるものである。
(イ) 上記基板ボックス本体である被保持部が円板収納室を有していること、
(ロ) 上記円板収納室に円板が、ラチェット機構によって所定の方向のみに回転可能で逆回転不能に設けられていること、
(ハ) 上記遊技機の機枠である保持部が取付ブラケットを備え、該取付ブラケットには複数の係止部が所定の間隔で円弧状に配列されていること、
(ニ) 上記円板が、上記複数の係止部のいずれかに選択的に係合される半径方向外方に突設した凸部を備えていること、
(ホ) 上記被保持部が、上記取付ブラケットの複数の係止部のいずれかと上記円板の凸部とを係合させる固定位置を選択的に決める位置決め手段を備えていること、
(ヘ) 上記円板を上記所定の方向に回転させ、上記円板の凸部が上記固定位置にあると、上記基板ボックス本体と上記取付ブラケットとが固定されること、
(ト) 上記円板を上記固定位置からさらに上記所定の方向に回転させ、上記円板の凸部が複数の係止部のうち一の係止部と該係止部の隣に配置した次の係止部との間の解除位置にあると、上記基板ボックス本体と上記取付ブラケットとの固定が解除可能となること。
【０００６】
(２) また、本発明に係る遊技機用基板ボックスは（請求項２に対応）、遊技機用制御基板を収納する基板ボックス本体と、該基板ボックス本体を覆う蓋体とから構成される遊技機用基板ボックスであって、次の(チ)〜(カ)によって構成されるものである。
(チ) 上記蓋体である被保持部が円板収納室を有していること、
(リ) 上記円板収納室に円板が、ラチェット機構によって所定の方向のみに回転可能で逆回転不能に設けられていること、
(ヌ) 上記基板ボックス本体である保持部が取付ブラケットを備え、該取付ブラケットには複数の係止部が所定の間隔で円弧状に配列されていること、
(ル) 上記円板が、上記複数の係止部のいずれかに選択的に係合される半径方向外方に突設した凸部を備えていること、
(ヲ) 上記被保持部が、上記取付ブラケットの複数の係止部のいずれかと上記円板の凸部とを係合させる固定位置を選択的に決める位置決め手段を備えていること、
(ワ) 上記円板を上記所定の方向に回転させ、上記円板の凸部が上記固定位置にあると、上記基板ボックス本体と上記蓋体とが固定されること、
(カ) 上記円板を上記固定位置からさらに上記所定の方向に回転させ、上記円板の凸部が複数の係止部のうち一の係止部と該係止部の隣に配置した次の係止部との間の解除位置にあると、上記基板ボックス本体と上記蓋体との固定が解除可能となること。
なお、上記(１)及び(２)の「遊技機用基板ボックス」において、「円弧状」はいわゆる円弧状及び多角形状を意味する。
【０００７】
【作用】
被保持部に回転可能に保持された円板の凸部を保持部に設けた取付ブラケットの第１番目の係止部に係合させることによって、被保持部が保持部に固定される。このように上記凸部が第１番目の係止部に係合している状態が、はじめて被保持部が保持部に固定されたことを表示している。また、上記円板は上記位置決め手段によって第１番目の固定位置に止められている。
上記位置決め手段による円板の位置決めを解除して、円板を回転させ、凸部を上記取付ブラケットの第１番目の係止部から外す（第１番目の解除位置）ことにより、被保持部を保持部から分離することが可能になる。第１番目の解除位置から円板をさらに第２番目の固定位置まで回転させることにより、円板の凸部が第２番目の係止部に係合して、再び被保持部を保持部に固定することになる。円板の凸部が第２番目の係止部に係合している状態が、被保持部と保持部との固定が一回解除されて、再び固定されていることを表している。このように、円板を順次前方に回転させることによって、保持部を被保持部に繰り返し固定することができる。そして、円板はラチェット機構によって逆回転することはできない（前方にのみ回転可能）ので、凸部と係止部の係脱が繰り返される度に、円板の回転方向位置が順次確実に前方に移動して、円板の凸部と上記係止部とが係合している位置が変わり、この係合位置の如何によって、被保持部が保持部から外された回数を目視で確認することができる。
【０００８】
(３) 上記遊技機用基板ボックスにおいて、上記位置決め手段が、上記円板の表面に、半径方向内方の断片的な円弧溝と半径方向外方の断片的な円弧溝と半径方向溝とを順次連接して、円弧状に延びた千鳥状のジグザグ溝と、円板の半径方向に移動可能に被保持部側に設けられた位置決めピンとを備え、当該位置決めピンの先端が上記ジグザグ溝に係合されて上記位置決めを行うことができる。（請求項３に対応）
【作用】
ジグザグ溝は半径方向内方、半径方向外方の断片的な２つの円弧溝と半径方向溝とがジグザグ状に連接されたものであるが、位置決めピンが停止位置にあるとき、位置決めピンの先端が上記ジグザグ溝の一方の円弧溝に合致しているから、当該円弧溝にそって摺動して次の半径方向溝に当接して、円板を係止位置に位置決めする。他方、位置決めピンを解除位置に移動させると、位置決めピンの先端が半径方向にそって摺動して他方の円弧溝に合致するまで移動するので、円板が前方に回転可能になる。この状態で円板を前方に回転させると、位置決めピンの先端が他方の円弧溝に沿って摺動してさらに次の半径方向溝に当接して、その回転動作が止まる。そして、この位置で円板の凸部が取付ブラケットの係止部から外れる。位置決めピンを再び停止位置に戻すとその先端が一方の円弧溝に合致するので、円板が前方に回転可能になる。そこで円板を前方に回転させると、位置決めピンの先端がさらに次の半径方向溝に当接して、その回転動作が止まる。そして、この位置で円板の凸部が取付ブラケットの次の係止部に係合する。このように位置決めピンを停止位置、解除位置に選択的に移動させることによって、円板の前方への回転動作が間欠的に行われ、次の解除位置、次の固定位置で順次、確実に止まるので、保持部側と被保持部側との固定操作、解除操作を容易にかつ安定的に行うことができる。
【０００９】
【実施形態】
本発明の遊技機用基板ボックスの実施形態を図面を参照しながら説明する。
遊技機の機枠Ａの内面に取付ブラケットＢ、Ｃを固着してあり、取付ブラケットＢに基板ボックスＤの左端を係止させて、右端を取付ブラケットＣに固定して、基板ボックスＤを機枠Ａに保持させる。
取付ブラケットＣは下辺２１、上辺２２を有する断面コ字状の部材であり、下辺２１が止め捩子ｓ１によって機枠Ａに固定されている（図４(ａ)）。取付ブラケットＣの上辺２２は平面形状多角形であり、４つの係止部２２ａを一定の間隔をもって配列したものであり、係止部２２ａの間が切欠き２２ｂになっていて、全体として櫛歯状部になっている。
上辺２２の裏側に間隔をおいて断面が「型で平面形状が多角形の裏板２３を固着している。
基板ボックスＤの基板ボックス本体３０の右端にほぼ円筒状の円板収納室３１があり、この円板収納室３１の底面にラチェット歯３２が形成されている。
円板４０から半径方向外方に凸部４１が突設されており、また、円板４０の上面に円弧状に延びた千鳥状ジグザグ溝４２が形成されている。このジグザグ溝４２は、千鳥状に配列された円弧溝４２ａ，４２ｂと半径方向溝４２ｃを順次連接したものである。
円板４０は中心軸４０ａと下端が解放された円筒状のポケットｐを有している。
ポケットｐにラチェット爪４３が嵌められていて、このラチェット爪４３はばね４４で付勢されていて、その先端の傾斜爪がラチェット歯３２に係合している。
円板収納室３１の円板状の蓋板５０の下面に２つの拡張栓５１が設けられており、他方、円板収納室３１の低面から上方に支持軸３３が突設されており、この支持軸に、上記拡張栓５１が挿入される２つの穴５５が設けられている。さらに上記穴５５の内面に拡張栓５１が係合する環状突起３３ａが設けられている。
支持軸３３に中心軸４０ａを遊嵌させて円板４０を回転自在に支持させ、拡張栓５１，５１を支持軸３３の穴５５，５５に挿入して上記環状突起３３ａに係合させることにより、蓋板５０が回転不能、取り外し不能に固定されて、円板収納室３１を閉じる。
また、蓋板５０に半径方向の長孔５２があり、その裏面に楕円状の凹所５３が設けられている。
位置決めピン６０は中央の環状フランジ６１の上方に突設した把持軸６２と下方に突設した位置決め軸６３とを有しており、その把持軸６２を蓋板５０の下方から長孔５２に挿入して上面に突出させている。このとき環状フランジ６１が蓋板５０の裏面の楕円状凹所５３に嵌合して、位置決めピン６０を長孔５２の長手方向に移動可能に案内保持している。そして、蓋板５０を基板ボックス本体３０に取外し不能、回転不能に固定して円板収納室３１を閉蓋した状態で、位置決め軸６３が円板４０のジグザク溝４２に係合する。
【００１０】
円板４０のラチェット爪４３が円板収納室３１の底面のラチェット歯３２に係合しているので、円板が前方（右回り方向）に回転することはできるが、反対方向に回転することはできない。位置決めピン６０が長孔５２の一端（停止位置）にあるとき、位置決め軸６３がジグザグ溝４２の一方の円弧溝４２ａを摺動できる位置にあり、位置決めピン６０を長孔５２の他端（解除位置）に移動させたとき、位置決め軸６３がジグザグ溝４２の他方の円弧溝４２ｂを摺動できる位置にある。
円板４０が初期位置にあるとき、その凸部４１は取付ブラケットＣの上辺２２の最初の係止部２２ａの外側にある。位置決めピン６０を長孔５２の一端に位置させておいて、凸部４１を操作して円板４０を右方向に回転させる。このとき位置決めピン６０の位置決め軸６３がジグザグ溝４２の円弧溝４２ａをスライドし、その終端の半径方向溝４２ｃに当接して円板を停止させる。このとき、円板４０の凸部４１の先端部が取付ブラケットＣの上辺２２と裏板２３との間に侵入し、最初の係止部２２ａの下方に位置する（図３）。したがって、凸部４１が最初の係止部２２ａに係合し、基板ボックスＤが取付ブラケットＣに固定される。そして、この位置で凸部４１と係止部２２ａとを止め捩子ｓ２で固着して基板ボックスＤを取付ブラケットＣに固着して安定させる。
止め捩子ｓ２を外し、位置決めピン６０を長孔５２の他端に移動させると、その位置決め軸６３がジグザグ溝４２の他方の横溝４２ｂの位置に位置するので、円板４０は再び右回り方向に回転可能になる。そこで、円板４０を同方向に回転させると、位置決め軸６３が円弧溝４２ｂを摺動し、当該円弧溝４２ｂの終端の半径方向溝に当接し、その位置で円板４０は停止する。そして、この位置において凸部４１は図３に示された取付ブラケットＣの最右側の切欠き２２ｂの位置にあるので、基板ボックスＤを取付ブラケットＣから外すことが可能になる。
位置決めピン６０を再び長孔５２の一端（停止位置）に移動させると、その位置決め軸６３がジグザク溝４２の一方の円弧溝４２ａの位置に位置するので、円板４０を同方向に回転させることが可能になる。この状態で円板４０を同方向に回転させると、位置決め軸６３が他方の円弧溝４２ａを摺動し、次の半径方向溝４２ｃに当接して円板の回転を止める。この停止位置において凸部４１の先端部が取付ブラケットＣの２番目の係止部２２ａの下方に位置して、これに係合する。
【００１１】
以上のように基板ボックスＤを取り外して再び固定する度に円板は右方向に所定角度回転する。そして円板はラチェット歯３２とラチェット爪４３とによるラチェット機構により反対方向に回転することができないから、円板の回転方向位置を恣意的に戻すことはできない。そして、取り外す度に凸部４１の位置が取付ブラケットの第１番面の係止部から第２番面、第３番目と移動する。凸部４１が何番目の係止部２２ａに係合しているかは目視で確認されるから、凸部４１が係合している係止部の順番を確認することによって、無断解放の有無を確実に発見することができる。
係止部２２ａの順番確認を容易にするために、係止部２２ａに番号を表示するのがよい。
【００１２】
【他の実施の例】
実施形態１では、ジグザグ溝４２と位置決めピン６０とによる位置決め手段を採用しているが、図７に示すように、円板４０の上面に断面半円状の円弧状溝８１を設け、この円弧状溝８１に所定の間隔で多数の半球状の窪み８２設け、他方蓋板５０に係止ボール８３を保持させ、当該係止ボール８３をばね８４で付勢して上記直線溝８１に摺動自在に嵌合させるという、簡便な位置決め手段を採用することもできる。この位置決め手段によるときは、円板４０を固定位置、解除位置に強く止めることはできないが、係止ボール８３が上記窪み８２に落ち込むことによって、ある程度の強さで円板４０を固定位置、解除位置に止め、その位置に保持することができるので、格別の不都合はない。このものは、操作の安定性において上記実施形態のものに比して劣るが、機構は単純である。
【００１３】
基板ボックス本体とその蓋体との固定機構にこの発明を適用するときは（請求項２に対応）、基板ボックス本体に取付ブラケットＣの上辺２２と同様の櫛歯状部を設け、蓋体に円板収納室３１を設け、これに円板を収納することになる。
【００１４】
また、櫛歯状部の係止部２２ａと円板４０の凸部４１との係合構造については、円板４０を間欠的に一方向に回転させるときに、凸部が配列された多数の係止部に順次係脱する機構であればよいのであるから、取付ブラケットの端面に筋状の溝を設け、この筋状の溝を所定の間隔で切り欠いて凸部が外れる程度の幅の切欠き部を形成して、この溝に上記凸部の先端を摺動自在に係合させる構造とすることもできる。
【００１５】
また、凸部を被保持部材から直接突設し、ラチェット機構によって一方向に回転可能で逆回転不能の態様で円板を取付ブラケットに設け、この円板に係止部と切欠き部とからなる櫛歯状部を設け、円板の回転によって上記凸部が上記櫛歯状部材の多数の係止部に順次係脱するようにすることもできる。この様な形態は、円板の形状構造が複雑になるので、基板ボックスを機枠に固定する固定機構には必ずしも実用的でないが、基板ボックス本体に蓋体を固定する固定機構に適用するときは、円板を基板ボックス本体に設けることになるので、蓋体に円板を設ける場合に比してその構造が単純になるから、実用上望ましい形態である。
【００１６】
【発明の効果】
この発明を機枠に基板ボックスを固定する固定機構に適用した形態においては、特別な工具や器具を使用しなくても、位置決め手段による位置決めを外した状態で円板を少し回転させるだけで、円板の凸部が取付ブラケット等の櫛歯状部の一つの係止部から外れるので、基板ボックスを取付ブラケットから取外すことができ、また、再び円板を少し回転させるだけで、円板の凸部が上記櫛歯状部の次の係止部に係合するので、基板ボックスを取付ブラケットに固定することができる。したがって、基板ボックスの取付け、取外しを簡単容易、迅速に行うことができる。
そして、円板は前方にのみ回転可能で、逆回転することはできないから、基板ボックスの取外し、取付けが行われる度に必ずその凸部が前方に回転し、凸部が係合している取付ブラケットの係止部の順番が変わる。したがって、凸部が係合している取付ブラケットの係止部の順番を管理することにより、基板ボックスの無断取外しの有無を目視で容易に確認することができる。
この発明を基板ボックス本体と蓋体との固定機構に適用するときも上記と同様の作用効果を奏する。
【図面の簡単な説明】
【図１】は従来例の斜視図である。
【図２】は実施例の斜視図である。
【図３】は図２の実施例における基板ボックス及び取付ブラケットの平面図である。
【図４】（ａ）は図３のＸ−Ｘ断面図であり、（ｂ）はラチェット機構の模式的な正面図である。
【図５】（ａ）は図４の要部拡大図であり、（ｂ）は位置決めピンの正面図である。
【図６】はラチェット機構の斜視図である。
【図７】（ａ）は位置決め手段の他の実施例の円弧状溝の平面図であり、（ｂ）は同実施例の断面図である。
【符号の説明】
Ａ：機枠
Ｂ，Ｃ：取付ブラケット
Ｄ：基板ボックス
２２ａ：係止部
２２ｂ：切欠き
３０：基板ボックス本体
３１：円板収納室
３２：ラチェット歯
３３：中心軸
３３ａ：環状突起
４０：円板
４０ａ：中心軸
４１：凸部
４２：ジグザグ溝
４３：ラチェット爪
４４：付勢ばね
５０：蓋板
５１：拡張栓
５２：長孔
５３：楕円状の窪み
５５：穴
６０：位置決めピン
８１：円弧状溝
８２：窪み
８３：係止ボール
８４：付勢ばね
【図１】
0003901447.tif 000002
【図２】
0003901447.tif 000003
【図３】
0003901447.tif 000004
【図４】
0003901447.tif 000005
【図５】
0003901447.tif 000006
【図６】
0003901447.tif 000007
【図７】
0003901447.tif 000008